(57)【要約】【課題】  一方の基板側に行電極対と列電極の双方が配置されるＰＤＰにおいて、サステイン放電開始電圧の上昇を抑制する。【解決手段】  バス電極Ｘｂ，Ｙｂと透明電極Ｘａ，Ｙａによって構成される行電極Ｘ，Ｙ、および、列電極本体部Ｄａと列電極放電部Ｄｂによって構成される列電極Ｄの双方が前面ガラス基板１側に配置され、行電極Ｘ，Ｙが、前面ガラス基板１の背面上に形成されて第１誘電体層２によって被覆され、この第１誘電体層２の背面上に列電極Ｄが形成されて第２誘電体層１３によって被覆され、この第２誘電体層１３が、第１誘電体層２の内面側の少なくとも行電極Ｘ，Ｙの透明電極Ｘａ，Ｙａに対向する領域を除く部分に形成されている。【選択図】    図３
2006302816.tif 000002
【特許請求の範囲】
【請求項１】
放電空間を介して互いに対向する一対の基板と、この一対の基板のうちの一方の基板側に配置されて行方向に延びるとともに列方向に並設された複数の行電極対および列方向に延びるとともに行方向に並設された複数の列電極を備え、行電極対と列電極によってそれぞれ放電が行われる複数の単位発光領域が放電空間内にマトリクス状に形成されたプラズマディスプレイパネルにおいて、
前記行電極対を構成する各行電極が、行方向に延びる行電極本体部と、この行電極本体部から対になっている相手の行電極側に単位発光領域ごとに列方向に突出して互いに放電ギャップを介して対向される行電極放電部とを有し、
前記行電極対が、一方の基板の内面側に形成されて第１誘電体層によって被覆され、
この第１誘電体層の内面側に列電極が形成されて第２誘電体層によって被覆され、
この第２誘電体層が、第１誘電体層の内面側の少なくとも行電極の行電極放電部に対向する領域を除く部分に形成されている、
ことを特徴とするプラズマディスプレイパネル。
【請求項２】
前記列電極が、列方向に延びる列電極本体部と、この列電極本体部から単位発光領域の中央部に対向する位置に向かって延びて先端部分がそれぞれ行電極放電部に近接する位置に位置される列電極放電部とを有し、
前記第２誘電体層が、第１誘電体層の内面側の列電極本体部と列電極放電部に対向してこの列電極本体部と列電極放電部を被覆する位置、および、行電極本体部に対向する位置に形成されている請求項１に記載のプラズマディスプレイパネル。
【請求項３】
前記列電極本体部が、行方向において隣接する単位発光領域の間の部分に対向する位置に配置され、列電極放電部が列電極本体部から行電極放電部間の放電ギャップに対向する位置に向かって延びている請求項２に記載のプラズマディスプレイパネル。
【請求項４】
前記第２誘電体層の列電極放電部を被覆している部分が、行方向において隣接する列電極本体部を被覆している部分の間に掛け渡された状態で形成されている請求項３に記載のプラズマディスプレイパネル。
【請求項５】
前記列電極の列電極放電部が、行電極放電部間の放電ギャップの行方向における中間位置に対向する位置まで延び、第２誘電体層の列電極放電部を被覆している部分とこの列電極に隣接している他の列電極の列電極本体部を被覆している部分との間に隙間が形成されている請求項３に記載のプラズマディスプレイパネル。
【請求項６】
一対の基板のうちの他方の基板側に形成されて放電空間を単位発光領域毎に区画する隔壁をさらに備え、
前記第２誘電体層の行電極本体部を被覆している部分の内面側に第３誘電体層が形成されて、この第３誘電体層が隔壁の列方向において隣接する単位発光領域間を区画する部分に当接され、
前記第２誘電体層の列電極本体部を被覆している部分と隔壁の行方向において隣接する単位発光領域間を区画する部分との間に、隙間が形成されている請求項３に記載のプラズマディスプレイパネル。
【発明の詳細な説明】
【技術分野】
【０００１】
この発明は、プラズマディスプレイパネルのパネル構造に関する。
【背景技術】
【０００２】
一般に、前面ガラス基板側に行電極対が形成され背面ガラス基板側に列電極が形成された従来の三電極型プラズマディスプレイパネル（以下、ＰＤＰという）は、前面ガラス基板と背面ガラス基板の間において行電極対と列電極の位置関係に高い精度が要求される等の理由によって製造コストが高くなり、さらに、行電極と列電極の間の放電ギャップが大きくなってこの間で発生されるアドレス放電の放電開始電圧が大きくなってしまうという問題を有している。
【０００３】
このため、近年、製造コストの低廉化を図るとともにアドレス放電開始電圧を低下させるために、行電極対と列電極の双方を一方のガラス基板側に形成する構成のＰＤＰが提案されている。
【０００４】
この従来のＰＤＰは、図１および２において、表示面である前面ガラス基板１の背面に、それぞれ透明電極Ｘａ，Ｙａとバス電極Ｘｂ，Ｙｂとを有する行電極ＸとＹが対になった複数の行電極対（Ｘ，Ｙ）が、前面ガラス基板１の行方向（図１の左右方向）に延び列方向（図１の上下方向）に並設された状態で形成されている。
【０００５】
この前面ガラス基板１の背面には、さらに、第１誘電体層２が形成されて、行電極対（Ｘ，Ｙ）が被覆されている。
【０００６】
この第１誘電体層２の背面には、列電極本体部Ｄａと列電極放電部Ｄｂによって構成される列電極Ｄが、前面ガラス基板１の列方向に延び行方向に並設された状態で形成されていて、列電極放電部Ｄｂの先端部がそれぞれ行電極対（Ｘ，Ｙ）の各透明電極ＸａとＹａの間に形成されている放電ギャップｇの中間位置に対向する位置に位置されている。
【０００７】
そして、第１誘電体層２の背面に第２誘電体層３が形成されて、この第２誘電体層３によって列電極Ｄが被覆されている。
【０００８】
第２誘電体層３の背面の互いに隣接する行電極対（Ｘ，Ｙ）の背中合わせに位置するバス電極ＸｂとＹｂに対向する位置に、第２誘電体層３の背面側に突出する嵩上げ誘電体層４が行方向に延びるように形成されている。
【０００９】
前面ガラス基板１と放電空間を介して対向する背面ガラス基板５の表示側の面上には、放電空間を放電セルＣ毎に区画する隔壁６が形成され、さらに、この隔壁６の内側に放電セルＣ毎に赤，緑，青に色分けされた蛍光体層７が形成されている（例えば、特許文献１参照）。
【００１０】
上記のような行電極対と列電極の双方が前面ガラス基板側に形成されたＰＤＰは、製造コストの低廉化が図られるとともにアドレス放電の放電開始電圧を下げることが可能になるが、以下のような新たな問題が発生する。
【００１１】
すなわち、上記の従来のＰＤＰは、行電極対（Ｘ，Ｙ）を被覆する誘電体層が第１誘電体層２と第２誘電体層３の二層構造になるため、この行電極対（Ｘ，Ｙ）と放電セルＣ内の放電空間との間に介在される誘電体層の膜厚が厚くなって、行電極Ｘ，Ｙの透明電極ＸａとＹａ間で発生されるサステイン放電の放電開始電圧が上昇してしまうという問題が発生する。
【００１２】
【特許文献１】特開平１０−３２１１４５号公報
【発明の開示】
【発明が解決しようとする課題】
【００１３】
この発明は、上記のような従来の一方の基板側に行電極対と列電極の双方が配置されたＰＤＰにおいて発生する問題点を解決することをその技術的課題の一つとしている。
【課題を解決するための手段】
【００１４】
この発明（請求項１に記載の発明）によるＰＤＰは、上記目的を達成するために、放電空間を介して互いに対向する一対の基板と、この一対の基板のうちの一方の基板側に配置されて行方向に延びるとともに列方向に並設された複数の行電極対および列方向に延びるとともに行方向に並設された複数の列電極を備え、行電極対と列電極によってそれぞれ放電が行われる複数の単位発光領域が放電空間内にマトリクス状に形成されたプラズマディスプレイパネルにおいて、前記行電極対を構成する各行電極が、行方向に延びる行電極本体部と、この行電極本体部から対になっている相手の行電極側に単位発光領域ごとに列方向に突出して互いに放電ギャップを介して対向される行電極放電部とを有し、前記行電極対が、一方の基板の内面側に形成されて第１誘電体層によって被覆され、この第１誘電体層の内面側に列電極が形成されて第２誘電体層によって被覆され、この第２誘電体層が、第１誘電体層の内面側の少なくとも行電極の行電極放電部に対向する領域を除く部分に形成されていることを特徴としている。
【発明を実施するための最良の形態】
【００１５】
この発明によるＰＤＰは、前面ガラス基板側に行電極対と列電極の双方が配置されるＰＤＰにおいて、各行電極が、行方向に延びるバス電極とこのバス電極から放電セルごとに列方向に突出して放電を発生させる透明電極とによって構成され、列電極が、列方向に延びる列電極本体部とこの列電極本体部から放電セルごとに行電極の透明電極に近接する位置に向かって延びる列電極放電部とによって構成され、行電極が前面ガラス基板の背面上に配置されて第１誘電体層によって被覆され、列電極が第１誘電体層の背面上に配置されて第２誘電体層によって被覆されており、この第２誘電体層が、第１誘電体層上の行電極の透明電極に対向する部分を含む領域を除いて、列電極の列電極本体部と列電極放電部および行電極のバス電極に対向する部分にのみ形成されているＰＤＰをその最良の実施形態としている。
【００１６】
上記実施形態のＰＤＰは、行電極対と列電極の双方が一方の基板側に配置されるＰＤＰにおいて、行電極の透明電極を被覆している部分が、第２誘電体層を介さずに、第１誘電体層のみを介して放電セル内の放電空間に対向されているので、透明電極を被覆している誘電体層の膜厚を従来の前面ガラス基板側に行電極対と列電極の双方が配置されたＰＤＰの場合と比較して大幅に薄くすることが出来、これによって、透明電極間において発生されるサステイン放電の放電開始電圧が、行電極対と列電極の双方を前面ガラス基板側に配置することによって上昇するのを抑制することが出来るようになる。
【実施例１】
【００１７】
図３および４は、この発明によるＰＤＰの実施形態における第１実施例を示しており、図３はこの第１実施例におけるＰＤＰを模式的に示す正面図、図４は図３のＶ１−Ｖ１線における断面図である。
この図３および４において、表示面である前面ガラス基板１の背面（内面）上に、複数の行電極対（Ｘ，Ｙ）が、前面ガラス基板１の行方向（図３の左右方向）に延びるように平行に配列されている。
【００１８】
行電極Ｘは、Ｔ字形状に形成されたＩＴＯ等の透明導電膜からなる透明電極Ｘａと、前面ガラス基板１の行方向に延びて透明電極Ｘａの幅狭の基端部に接続された黒色または暗色の金属膜からなるバス電極Ｘｂとによって構成されている。
【００１９】
行電極Ｙも同様に、Ｔ字形状に形成されたＩＴＯ等の透明導電膜からなる透明電極Ｙａと、前面ガラス基板１の行方向に延びて透明電極Ｙａの幅狭の基端部に接続された黒色または暗色の金属膜からなるバス電極Ｙｂによって構成されている。
【００２０】
この行電極ＸとＹは、前面ガラス基板１の列方向（図３の上下方向）に交互に配列されており、バス電極ＸｂとＹｂに沿って並列されたそれぞれの透明電極ＸａとＹａが互いに対となる相手の行電極側に延びて、透明電極ＸａとＹａの幅広部の頂辺が、それぞれ所要の間隔の放電ギャップｇを介して互いに対向されている。
【００２１】
そして、この前面ガラス基板１の背面に第１誘電体層２が形成されて、行電極対（Ｘ，Ｙ）が被覆されている。
【００２２】
この第１誘電体層２の背面には、列電極Ｄを構成する帯状の列電極本体部Ｄａが、行電極Ｘ，Ｙのバス電極Ｘｂ，Ｙｂに沿って行方向に等間隔に並ぶ透明電極Ｘａ，Ｙａのそれぞれの中間位置に対向する位置において列方向に延びるように、互いに所定の間隔を開けて平行に配列されている。
【００２３】
この第１誘電体層２の背面上には、さらに、列電極Ｄを構成する帯状の列電極放電部Ｄｂが、その先端部がそれぞれ行電極対（Ｘ，Ｙ）の各透明電極ＸａとＹａ間の放電ギャップｇの中間位置に対向する位置に位置されるように、表示ラインＬごとに、各列電極本体部Ｄａの側部から行方向に延びるように一体的に形成されている。
【００２４】
以上の構成については、前述した従来のＰＤＰとほぼ同様であり、同一の構成部分については、図２および３において図１および２と同一の符号が付されている。
【００２５】
第１誘電体層２の背面（内面）上に、下記において詳述するような列電極Ｄの列電極本体部Ｄａと列電極放電部Ｄｂを被覆する略格子状に成形された第２誘電体層１３が形成されている。
【００２６】
すなわち、この第２誘電体層１３は、列電極本体部Ｄａと対向する位置にそれぞれ列方向に延びるように形成された帯状の縦層１３Ａと、互いに隣接する行電極対（Ｘ，Ｙ）の背中合わせに位置するバス電極ＸｂとＹｂおよびその間の領域部分に対向する位置にそれぞれ行方向に延びるように形成された帯状の第１横層１３Ｂと、列電極放電部Ｄｂに対向する位置において隣接する縦層１３Ａ間に掛け渡された帯状の第２横層１３Ｃとによって略格子状に成形されており、この第２誘電体層１３の縦層１３Ａによって列電極本体部Ｄａが被覆され、第２横層１３Ｃによって列電極放電部Ｄｂが被覆されている。
【００２７】
この第２誘電体層１３の縦層１３Ａと第１横層１３Ｂ，第２横層１３Ｃに囲まれた部分にそれぞれ方形の凹所１３ａが形成されている。
【００２８】
そして、この第２誘電体層１３と凹所１３ａ内に対向している部分の第１誘電体層２の背面上に、ＭｇＯからなる図示しない保護層が形成されて、この保護層によってそれぞれの表面が被覆されている。
【００２９】
一方、前面ガラス基板１と放電空間を介して対向する背面ガラス基板５の表示側の面（内面）上には、前面ガラス基板１側の列電極本体部Ｄａと対向する位置においてそれぞれ列方向に延びるように形成された帯状の縦壁６Ａと、互いに隣接する行電極対（Ｘ，Ｙ）の背中合わせに位置するバス電極ＸｂとＹｂおよびその間の領域部分に対向する位置において、それぞれ行方向に延びるように形成された帯状の横壁６Ｂとによって構成される略格子状の隔壁６が形成されており、この隔壁６によって、前面ガラス基板１と背面ガラス基板５の間の放電空間が、各行電極対（Ｘ，Ｙ）において対となった透明電極ＸａとＹａに対向する部分毎に区画されて、それぞれ方形の放電セルＣ１が形成されている。
【００３０】
この隔壁６の縦壁６Ａおよび横壁６Ｂの表示側の面は、それぞれ、保護層の第２誘電体層１３の縦層１３Ａと第１横層１３Ｂを被覆している部分に当接されている。
【００３１】
そして、放電セルＣ１に面する隔壁６の縦壁６Ａおよび横壁６Ｂの側面と背面ガラス基板５の表面には、これらの五つの面を全て覆うように蛍光体層７が形成されており、この蛍光体層７の色は、各放電セルＣ１毎に赤，緑，青の三原色が行方向に順に並ぶように配列されている。
【００３２】
この背面ガラス基板５側の構成については、前述した従来のＰＤＰとほぼ同様である。
そして、前面ガラス基板１と背面ガラス基板５の間の放電空間内には、キセノン・ガスを含む放電ガスが封入されている。
【００３３】
このＰＤＰにおける画像形成は、以下のようにして行われる。
すなわち、一斉リセット期間の後のアドレス期間において、行電極Ｙに走査パルスが印加されるとともに、列電極Ｄの列電極本体部Ｄａに映像信号の表示データに対応したデータ・パルスが印加されて、選択的に、この列電極Ｄの列電極放電部Ｄｂと走査パルスが印加された行電極Ｙの透明電極Ｙａとの間でアドレス放電が発生され、これによって、パネル面に、第１誘電体層２および第２誘電体層１３に壁電荷が形成された放電セル（発光セル）Ｃ１と、壁電荷が形成されていない放電セル（非発光セル）Ｃ１とが分布される。
【００３４】
そして、次のサステイン期間において、行電極ＸとＹにサステイン・パルスが印加され、第１誘電体層２および第２誘電体層１３に壁電荷が形成されている発光セル内において、行電極ＸとＹの放電ギャップｇを介して互いに対向する透明電極ＸａとＹａの間でサステイン放電が発生され、放電空間内に封入されている放電ガス中のキセノン・ガスから真空紫外線が放射されて、それぞれ赤，緑，青に色分けされている蛍光体層７がこの真空紫外線によって励起されて発光することにより、マトリクス表示による画像の形成が行われる。
【００３５】
上記構成のＰＤＰは、行電極Ｘ，Ｙの透明電極Ｘａ，Ｙａに対向する部分に第２誘電体層１３の凹所１３ａが形成されていて、透明電極Ｘａ，Ｙａを被覆している部分が、第２誘電体層１３を介さずに、第１誘電体層２とこの部分の第１誘電体層２を被覆している保護層のみを介して放電セルＣ１内の放電空間に対向されているので、透明電極Ｘａ，Ｙａを被覆している誘電体層の膜厚を従来のＰＤＰの場合と比較して大幅に薄くすることが出来、これによって、透明電極Ｘａ，Ｙａ間において発生されるサステイン放電の放電開始電圧が、行電極対（Ｘ，Ｙ）と列電極Ｄの双方を前面ガラス基板１側に配置することによって上昇するのを抑制することが出来るようになる。
【実施例２】
【００３６】
図５は、この発明によるＰＤＰの実施形態における第２実施例を示している。
前述した第１実施例のＰＤＰが、その列電極の列電極放電部が行電極の透明電極間の放電ギャップのほぼ全長に亘って対向される長さを備え、この列電極放電部を被覆している第２誘電体層の第２横層が両側の縦層間に掛け渡された状態で形成されていたのに対し、この第２実施例によるＰＤＰは、第１誘電体層２の背面上に形成される列電極Ｄ１の列電極本体部Ｄ１ａから延びる列電極放電部Ｄ１ｂの先端部が、行方向において透明電極Ｘａ，Ｙａ間の放電ギャップｇの途中の位置に対向する位置まで延びる長さに設定されている。
【００３７】
そして、第１誘電体層２の背面上に形成される第２誘電体層２３が、列電極本体部Ｄ１ａと対向する位置にそれぞれ列方向に延びるように形成されて列電極本体部Ｄ１ａを被覆する帯状の縦層２３Ａと、互いに隣接する行電極対（Ｘ，Ｙ）の背中合わせに位置するバス電極ＸｂとＹｂおよびその間の領域部分に対向する位置にそれぞれ行方向に延びるように形成された帯状の第１横層２３Ｂと、列電極放電部Ｄ１ｂに対向する位置において列電極本体部Ｄ１ａを被覆している縦層２３Ａから列電極放電部Ｄ１ｂのほぼ先端部分まで延びる第２横層２３Ｃが形成されており、この第２横層２３Ｃによって列電極放電部Ｄ１ｂが被覆されている。
【００３８】
このＰＤＰの他の部分の構成は、前述した第１実施例のＰＤＰとほぼ同様であり、第１実施例と同一の構成部分については図５において図３と同一の符号が付されている。
【００３９】
上記ＰＤＰは、列電極Ｄ１の列電極放電部Ｄ１ｂの行方向の長さが第１実施例の列電極放電部の長さよりも短く、さらに、列電極放電部Ｄ１ｂを被覆する第２横層２３Ｃの先端部分とこの先端部分に対向する側の縦層２３Ａとの間に隙間が形成されていることによって、第１実施例の場合よりも、さらに、透明電極Ｘａ，Ｙａ間において発生されるサステイン放電の放電開始電圧の上昇を抑制することが出来るようになる。
【実施例３】
【００４０】
図６ないし８は、この発明によるＰＤＰの実施形態における第３実施例を示しており、図６はこの第３実施例におけるＰＤＰを模式的に示す正面図，図７は図６のＶ２−Ｖ２線における断面図，図８は図６のＷ−Ｗ線における断面図である。
【００４１】
この第３実施例におけるＰＤＰは、図６ないし８において、第１実施例のＰＤＰと同様の形態で形成された第２誘電体層１３の縦層１３Ａおよび第１横層１３Ｂの背面上に、この縦層１３Ａに沿って列方向に帯状に延びる部分と第１横層１３Ｂに沿って行方向に帯状に延びる部分とによって略格子状に成形された第３誘電体層１４が形成されている。
【００４２】
この第３誘電体層１４は、図示しないＭｇＯによる保護層によって被覆されているとともに、この保護層を介して隔壁６の縦壁６Ａと横壁６Ｂに当接されて、行方向および列方向において隣接する放電セルＣ２の間を閉じている。
【００４３】
このＰＤＰに他の部分の構成は、前述した第１実施例のＰＤＰとほぼ同様であり、第１実施例と同一の構成部分については、図６ないし８において図２および３と同一の符号が付されている。
【００４４】
上記ＰＤＰは、第１実施例のＰＤＰが有している技術的効果に加えて、行方向方向および列方向において隣接する放電セルＣ２の間が閉じられていることによって、この行方向および列方向に隣接する放電セルＣ２間での放電干渉は防止される。
【００４５】
なお、列電極Ｄの列電極放電部Ｄ１ｂを被覆する誘電体層は、第２誘電体層１３の第２横層１３Ｃのみなので、アドレス放電電圧の上昇は抑制される。
【図面の簡単な説明】
【００４６】
【図１】ＰＤＰの従来例を示す正面図である。
【図２】図１のＶ−Ｖ線における断面図である。
【図３】この発明によるＰＤＰの実施形態における第１実施例を示す正面図である。
【図４】図３のＶ１−Ｖ１線における断面図である。
【図５】この発明によるＰＤＰの実施形態における第２実施例を示す正面図である。
【図６】この発明によるＰＤＰの実施形態における第３実施例を示す正面図である。
【図７】図６のＶ２−Ｖ２線における断面図である。
【図８】図６のＷ−Ｗ線における断面図である。
【符号の説明】
【００４７】
１              …前面ガラス基板（一方の基板）
２              …第１誘電体層
５              …背面ガラス基板（他方の基板）
６              …隔壁
６Ａ            …縦壁
６Ｂ            …横壁
１３，２３      …第２誘電体層
１３Ａ，２３Ａ  …縦層
１３Ｂ，２３Ｂ  …第１横層
１３Ｃ，２３Ｃ  …第２横層
１３ａ          …凹所
１４            …第３誘電体層
Ｃ１，Ｃ２      …放電セル（単位発光領域）
Ｄ，Ｄ１        …列電極
Ｄａ，Ｄ１ａ    …列電極本体部
Ｄｂ，Ｄ１ｂ    …列電極放電部
Ｘ，Ｙ          …行電極
Ｘａ，Ｙａ      …透明電極（行電極放電部）
Ｘｂ，Ｙｂ      …バス電極（行電極本体部）
ｇ              …放電ギャップ
【図１】
2006302816.tif 000003
【図２】
2006302816.tif 000004
【図３】
2006302816.tif 000005
【図４】
2006302816.tif 000006
【図５】
2006302816.tif 000007
【図６】
2006302816.tif 000008
【図７】
2006302816.tif 000009
【図８】
2006302816.tif 000010